(57)【要約】      （修正有）【課題】各ユーザに快適感を与えることのできる空気調和機を提供する。【解決手段】吹出口に風向を調節するフラップを備えた空気調和機において、前記フラップがスイングモードで動作する際の動作速度を、リモートコントローラの操作により、任意の動作速度に変更可能に構成した。吹出口に風向を調節するフラップを備えた空気調和機の室内機を複数台備えた場合、一つのリモートコントローラの操作により、各室内機毎に、任意の動作速度に変更可能に構成した。【選択図】図４
2007139227.tif 000002
【特許請求の範囲】
【請求項１】
吹出口に風向を調節するフラップを備えた空気調和機において、前記フラップがスイングモードで動作する際の動作速度を、リモートコントローラの操作により、任意の動作速度に変更可能に構成したことを特徴とする空気調和機。
【請求項２】
複数台の室内機を備え、前記フラップの動作速度を、前記リモートコントローラの操作により、各室内機毎に、任意の動作速度に変更可能に構成したことを特徴とする請求項１に記載の空気調和機。
【請求項３】
複数台の室内機を備え、前記フラップの動作速度を、一つの前記リモートコントローラの操作により、各室内機毎に、任意の動作速度に変更可能に構成したことを特徴とする請求項１に記載の空気調和機。
【発明の詳細な説明】
【技術分野】
【０００１】
本発明は、スイングモードでフラップを動作させることのできる空気調和機に関する。
【背景技術】
【０００２】
従来、室内機の吹出し口にフラップを備えた空気調和機が知られている。
このような室内機では、フラップをパルスモータで駆動して風向を調節しており、ユーザがリモコンを操作してフラップを制御していた。このフラップの主な制御方法としては、室内機運転時の風向がユーザによって設定された風向で一定になるようにフラップ位置を固定する制御方法や、フラップをスイング動作させて風向を常に変化させるスイングモードによる制御方法があった。そして、フラップを移動目的に適した動作速度で移動させることができる機能を有する空気調和機が提案されている（例えば、特許文献１参照）。
【特許文献１】特開平９−１３３３８９号公報
【発明の開示】
【発明が解決しようとする課題】
【０００３】
ところで、上記従来技術による空気調和機では、スイングモードにおけるフラップの動作速度は、機種毎に予め決められた単一の動作速度で動作しており、運転状況に関係なく単一の動作速度で動作していた。
このスイングモードの動作速度は、遅い場合に、空調空気の当たる時間間隔が長くなるため、いわゆる風量感が得られなくなり、それが不快に感じられたり、速い場合には、風量感が得られるものの、それが不快に感じられたり、ユーザが不快感を感じる感覚には個人差がある。そのため、設計時に設定された単一の動作速度のみで対応するのは、全てのユーザに快適感を与えるのが困難であった。
そこで、本発明の目的は、上述した従来の技術が有する課題を解消し、各ユーザに快適感を与えることのできる空気調和機を提供することにある。
【課題を解決するための手段】
【０００４】
本発明は、吹出口に風向を調節するフラップを備えた空気調和機において、前記フラップがスイングモードで動作する際の動作速度を、リモートコントローラの操作により、任意の動作速度に変更可能に構成したことを特徴とする。
【０００５】
この場合において、複数台の室内機を備え、前記フラップの動作速度を、前記リモートコントローラの操作により、各室内機毎に、任意の動作速度に変更可能に構成してもよい。複数台の室内機を備え、前記フラップの動作速度を、一つの前記リモートコントローラの操作により、各室内機毎に、任意の動作速度に変更可能に構成してもよい。
【発明の効果】
【０００６】
本発明によれば、フラップの動作速度をユーザが任意の動作速度に自由に変更できるから、空調空気の当たる時間間隔を短くして、いわゆる風量感を得たい場合には、スイングモードの動作速度を速くすればよく、いわゆる風量感を得たくない場合には、それを遅くすればよく、各ユーザが、最適な動作速度を設定することにより、各ユーザが空調快適感を得ることができる。
【発明を実施するための最良の形態】
【０００７】
以下、本発明の実施の形態を、図面に基づいて説明する。
図１は４方向天井カセット形の空気調和機の室内機を示す平面図であり、図２は、４方向天井カセット形空気調和機の室内機の断面図である。
【０００８】
４方向天井カセット形空気調和機の室内機１は、図１に示すように、吊りボルト１５（図２）で天井からつり下げられている。室内機１の下面は、化粧パネル２で構成され、この化粧パネル２には吸込口３と、その周囲を囲むように４つの吹出口４Ａ、４Ｂ、４Ｃ、４Ｄとが設けられている。それぞれの吹出口４Ａ、４Ｂ、４Ｃ、４Ｄにはフラップ５Ａ、５Ｂ、５Ｃ、５Ｄが設けられており、フラップ５Ａ、５Ｂの２枚のフラップを駆動するフラップモータ６Ａが設けられ、フラップ５Ｃ、５Ｄの２枚のフラップを駆動するフラップモータ６Ｂが設けられている。これらフラップモータ６Ａ、６Ｂは制御装置７に接続されており、この制御装置７によって各フラップモータ６Ａ、６Ｂが個別に駆動制御される。つまり、フラップ５Ａ、５Ｂが同期して動作し、フラップ５Ｃ、５Ｄが同期して動作する。フラップモータ６Ａ、６Ｂは、ステッピングモータである。尚、吹出口４Ａ〜４Ｄを総じて吹出口４、フラップ５Ａ〜５Ｄを総じてフラップ５というものとする。
【０００９】
図２において、室内機１の天板１Ｂには、ファンモータ８が固定され、このファンモータ８のシャフトには羽根車９が取り付けられている。これらファンモータ８及び羽根車９が送風機１０を構成している。この送風機１０を取り囲むように、多角形に曲げられた熱交換器１１が、発泡スチロール製の断熱材１２の内側に配置されている。
【００１０】
この熱交換器１１の下面１１Ａを覆うように、発泡スチロール製のドレンパン１３が配置され、このドレンパン１３には、送風機１０のベルマウス１４や図示しない電装ボックス等の各種部品がねじ止めされている。尚、空気調和機は、図示は省略するが、室外機に備えた圧縮機、室外熱交換器等と、室内機１の熱交換器１１等とで構成される冷凍サイクルを備えており、冷房運転時（或いはドライ運転時）は、室内機１の熱交換器１１が蒸発器として機能し、暖房運転時は、室内機１の熱交換器１１が凝縮器として機能する。
【００１１】
図３は、フラップモータ６Ａ、６Ｂを駆動する制御装置７のブロック図である。各フラップモータ６Ａ、６Ｂは駆動回路２１Ａ、２１Ｂを介してマイクロコンピュータ２２（以下、「マイコン」という。）に接続されている。マイコン２２には、書き換え可能な不揮発性メモリ２３（例えば、ＥＥＰＲＯＭ）及びリモートコントローラ２４（以下、「リモコン」という。）が接続されている。駆動回路２１Ａ、２１Ｂ、マイコン２２及び不揮発性メモリ２３は、基板に実装され、図示しない電装ボックスに収納されている。
【００１２】
マイコン２２は、図示しない記録媒体（例えばＲＯＭやＥＥＰＲＯＭ等）に予め記憶されている制御プログラムに基づいて、空気調和機全体の制御を行うものである。特に、マイコン２２は、制御プログラムに基づいて、フラップ５（図１）、つまりフラップモータ６Ａ、６Ｂを制御するものである。例えば、フラップ５を保持（固定）する制御やフラップ５のスイング制御を行う。具体的に、マイコン２２は、リモコン２４の指令に応じて、不揮発性メモリ２３を参照しフラップモータ６Ａ、６Ｂを制御する。
ユーザは、スイングモードで動作しているフラップ５の動作速度を、リモコン２４を操作することにより、例えば、６０〜２４０ｐｐｓ（Pulse Per Second）の範囲内でフラップモータ６Ａ、６Ｂの動作速度データを任意の動作速度データに書き換え可能である。そして、変更された動作速度は、不揮発性メモリ２３に記憶される。この場合、書き換えに限定されず、例えば、工場出荷時から不揮発性メモリ２３に、遅い、標準、速いの三つの動作速度に対応する動作速度データが予め記憶されており、ユーザがこの三つ動作速度からいずれかを選択する形態であってもよい。
【００１３】
図４は、室内機がスイングモードで動作しているときの、マイコンによるフラップの動作速度を決定する動作を示すフローチャートである。
ここで、不揮発性メモリ２３には、フラップ５の動作速度が例えばＡ（ｐｐｓ）となるプログラムが工場出荷時から記憶されていると共に、フラップ５の動作速度が例えばＢ（ｐｐｓ）となるプログラムがユーザによって設定され、記憶されている。
先ず、室内機１が起動したとき、あるいは、室内機１が運転中にフラップ５の運転モードが変更されたときに、マイコン２２は、室内機１がスイングモードで動作しているか否かを判断する（ステップＳ１）。マイコン２２は、室内機１がスイングモードで動作していないと判断すると（ステップＳ１：Ｎｏ）、一連の処理を終了する。
【００１４】
一方、ステップＳ１において、マイコン２２は、室内機１がスイングモードで動作していると判断すると（ステップＳ１：Ｙｅｓ）、ユーザによる任意の動作速度が指定されているか否かを判断する（ステップＳ２）。マイコン２２は、ユーザによる任意の動作速度が指定されていないと判断すると（ステップＳ２：Ｎｏ）、工場出荷時の動作速度であるＡ（ｐｐｓ）でフラップ５を制御し（ステップＳ４）、フラップ５は動作範囲内をＡ（ｐｐｓ）の動作速度で往復して動作する。
【００１５】
一方、ステップＳ２において、マイコン２２は、ユーザによる任意の動作速度が指定されていると判断すると（ステップＳ２：Ｙｅｓ）、ユーザによって設定された任意の動作速度であるＢ（ｐｐｓ）でフラップ５を制御し（ステップＳ３）、フラップ５は動作範囲内をＢ（ｐｐｓ）の動作速度で往復して動作する。
【００１６】
上記構成では、ユーザがリモコン２４を介してフラップ５の動作速度をＢ（ｐｐｓ）に設定し、この動作速度が不揮発性メモリ２３に記憶されている。これにより、室内機１がスイングモードで運転しているときに、フラップ５はＢ（ｐｐｓ）の動作速度で動作する。
【００１７】
上記の天井埋込型の空気調和機１００において、室内機１のフラップ５の動作速度をユーザがリモコン２４を介して任意の動作速度に自由に変更できる。これにより、空調空気の当たる時間間隔を短くして、いわゆる風量感を得たい場合には、フラップ５の動作速度を速くすればよい。そして、いわゆる風量感を得たくない場合には、フラップ５を遅くすればよく、各ユーザが最適な動作速度を設定することにより、各ユーザが空調快適感を得ることができる。
例えば、空気調和機１００の冷房運転中に、フラップ５の動作速度を速くすることにより、空調空気の当たる時間間隔を短くして、冷風感を感じ易くする。あるいは、冷房を苦手とするユーザの場合には、フラップ５の動作速度を遅くすることにより、空調空気が当たる時間間隔を長くして、冷風感を感じ難くすることができる。
【００１８】
図５は、複数の室内機を備える空気調和機の構成を示すブロック図である。
この空気調和機１００は、一台の室外機１６に対して本実施形態に係る室内機１を室内機１Ａ、１Ｂとして二台接続している。室外機１６と、室内機１Ａと、室内機１Ｂとは運転制御用の通信線としてのメインバス通信線１７で接続されている。そして、室内機１Ａと、室内機１Ｂとは、一つのリモコン２４とリモコン通信線１８で接続されており、このリモコン２４によって室内機１Ａ、１Ｂをそれぞれ操作することができる。
【００１９】
本実施形態では、室内機１が複数接続された場合に、ユーザがリモコン２４を操作することによって、室内機１毎にフラップ５の動作速度を変更することができる。これにより、例えば、異なる機種の室内機１を複数接続した場合であっても、室内機１毎に空調空気がユーザに当たる時間間隔を変更して、最適な動作速度を設定することができ、空調快適感を得ることができる。
【００２０】
以上、一実施形態に基づいて本発明を説明したが、本発明は、これに限定されるものではない。本実施形態では、フラップ５が停止しているときにフラップ５の動作速度を変更しているが、これに限らず、フラップ５が動作中にフラップ５の動作速度を変更してもよい。
本実施形態では、４方向天井カセット形の空気調和機の室内機を用いているが、これに限らず、フラップモータで駆動するフラップを備えた室内機であればその他の室内機であってもよい。
本実施形態では、複数の室内機を接続する場合の室内機の台数を二台として説明したが、これに限らず、三台以上であってもよい。また、接続する室外機を一台としているが、これに限らず、二台以上の室外機を接続してもよい。
【図面の簡単な説明】
【００２１】
【図１】本発明による空気調和機の室内機を示す底面図である。
【図２】本発明による空気調和機の室内機を示す断面図である。
【図３】フラップを制御する制御装置を示すブロック図である。
【図４】マイコンがフラップの動作速度を決定する動作を示すフローチャートである。
【図５】複数の室内機を備えた空気調和機の構成を示すブロック図である。
【符号の説明】
【００２２】
１  室内機
４  吹出口
５  フラップ
２４  リモートコントローラ
１００  空気調和機
【図１】
2007139227.tif 000003
【図２】
2007139227.tif 000004
【図３】
2007139227.tif 000005
【図４】
2007139227.tif 000006
【図５】
2007139227.tif 000007